【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
ケーシングと、ケーシング内に設けられ電気の供給を受けて光る光源と、この光源に電気を供給する電源とを備え、当該ケーシングは、当該光源からの光を透過する、広告面を有するものである内照式看板において、
上記の光源と、ケーシング内に当該光源を支持する支持体と、上記の光源と電気的に接続された電流制御回路とを備え、
上記光源は、複数の高輝度ＬＥＤにて構成され、且つ、上記の電源と電気的に接続されたものであり、
上記支持体の少なくとも一部は、光源のヒートシンクであり、当該ヒートシンクが、複数の上記高輝度ＬＥＤ同士を間隔を開けて保持するものであり、
上記の電流制御回路は、上記高輝度ＬＥＤに流れる電流の値を所定の値に維持する制御を行うものであることを特徴とする内照式看板。
【請求項２】
上記の光源の光を分散する、光分散部材を備え、
上記光分散部材は、上記高輝度ＬＥＤと広告面との間に設けられたものであることを特徴とする請求項１記載の内照式看板。
【請求項３】
上記のヒートシンクは、アルミニウムで形成された部材であり、当該支持体に設けられて隣接する、高輝度ＬＥＤ同士の間隔を５５ｍｍ以上４５０ｍｍ以下とするものであり、
上記の光分散部材は、上記支持体に取り付けられて個々の高輝度ＬＥＤを別々に覆うものであることを特徴とする請求項２記載の内照式看板。
【請求項４】
上記の電流制御回路は、電源から光源に流れる電流を検出する電流センサと、電圧制御部とを備え、この電圧制御部は、電流センサの検出した上記電流が所定の電流値から外れた際、高輝度ＬＥＤの電圧を変化させることによって、上記の電流を所定の値に維持せしめるものであることを特徴とする請求項１乃至３の何れかに記載の内照式看板。
【請求項５】
支持体の各高輝度ＬＥＤを保持する上記のヒートシンクは、連続したものであり、
ヒートシンクの高輝度ＬＥＤが設けられた面と少なくとも反対側の面は、放熱面であることを特徴とする請求項１乃至４の何れかに記載の内照式看板。
【請求項６】
建造物の壁に固定される基体を備え、
ケーシングは、基体にて、建造物の壁に固定され、
ケーシングの先端面は、光源の光を外部へ放出することができ、
支持体は、基体に固定され、
支持体の少なくとも一部分は、ケーシングの先端面の角を向くように形成され、
この支持体に、高輝度ＬＥＤが取り付けられたことを特徴とする請求項１乃至５の何れかに記載の内照式看板。
【請求項７】
支持体の先端は、基部側へ斜めに折り返された状態に成形された折り返し部を備え、
折り返し部の外側の面は、ケーシングの先端面の角を向くように形成され、
この折り返し部に、高輝度ＬＥＤが取り付けられたことを特徴とする請求項１乃至６の何れかに記載の内照式看板。
【手続補正２】
【補正対象書類名】明細書
【補正対象項目名】００１０
【補正方法】変更
【補正の内容】
【００１０】
本願第４の発明では、上記本願の第１乃至第３の何れかの発明にあって、次の構成を採る内照式看板を提供する。
即ち、上記の電流制御回路５は、電源から光源に流れる電流を検出する電流センサと、電圧制御部とを備える。この電圧制御部は、電流センサの検出した上記電流が所定の電流値から外れた際、高輝度ＬＥＤ２０…２０の電圧を変化させることによって、上記の電流を所定の値に維持せしめるものである。
本願第５の発明では、上記本願の第１乃至第４の何れかの発明にあって、次の構成を採る内照式看板を提供する。
即ち、支持体４の各高輝度ＬＥＤ２０…２０を保持する上記のヒートシンクは、連続したものである。ヒートシンクの高輝度ＬＥＤ２０…２０が設けられた面と少なくとも反対側の面は、放熱面である。
本願第６の発明では、上記本願の第１乃至第５の何れかの発明にあって、次の構成を採る内照式看板を提供する。
即ち、この内照式看板は、建造物の壁に固定される基体を備える。ケーシングは、基体にて、建造物の壁に固定されている。ケーシングの先端面は、光源の光を外部へ放出することができる。支持体は、基体に固定される。支持体の少なくとも一部分は、ケーシングの先端面の角を向くように形成され、この支持体に、高輝度ＬＥＤが取り付けられたことを特徴とする。
本願第７の発明では、上記本願の第１乃至第６の何れかの発明にあって、次の構成を採る内照式看板を提供する。
支持体の先端は、基部側へ斜めに折り返された状態に成形された折り返し部を備える。折り返し部の外側の面は、ケーシングの先端面の角を向くように形成され、この折り返し部に、高輝度ＬＥＤが取り付けられたことを特徴とする。
【手続補正３】
【補正対象書類名】明細書
【補正対象項目名】００１１
【補正方法】変更
【補正の内容】
【００１１】
本願第１〜７の発明は、上記の工夫によって、内照式看板の光源に、高輝度ＬＥＤを用いることを可能とした。その結果、高輝度ＬＥＤを用いることにより、従来の蛍光灯を光源とする内照式看板と同等の輝度を、少数のＬＥＤで確保でき、省エネルギー化を促進した。
特に、光源を複数の高輝度ＬＥＤで構成すると共に当該複数の高輝度ＬＥＤを支持体に設けることにてユニット化し、製造時或いはメンテナンス時に、当該支持体の取り付けにより複数の高輝度ＬＥＤを纏めて看板へ取り付けることができる。例えば、複数の支持体をケーシング内に設けるものとし、１つの支持体に上記ＬＥＤの一群を保持させることにより、支持体の着脱により、複数のＬＥＤを看板に付け外しすることができ、製造や設計変更を効率よく行うことができる。  また、１つの支持板にて、複数の高輝度ＬＥＤを纏めて取り扱えるので、光源取り付けの手間が、蛍光灯に比べ極端に大きくなることもない。
更に、上記の通り、高輝度ＬＥＤの採用により、蛍光灯を用いた看板に比して看板を小型に形成できるので、この点においても、従来の蛍光灯を用いた既存の看板に使用していたスペースを利用して、本願発明の看板を取り付けて、従来品と置き換えることができる。
従って、このような高輝度ＬＥＤ群のユニット化により、蛍光灯を使用している既設の看板のケーシングの内部のみを簡単に高輝度ＬＥＤに置き換えることができる。
また、適切な熱管理により、極めて寿命の長い高輝度ＬＥＤを採用することで、蛍光灯に比して、交換の回数を著しく低減することができ、長期に渡って、ランニングコストを抑制することができる。
高輝度ＬＥＤは、上述の通り、従来の一般的なＬＥＤに比して輝度が著しく高いものであるため、その看板内にて配置分布を疎にすることができ、その配置の自由度が極めて高い（従来ＬＥＤでは、輝度をかせぐために多数を配置する必要があり、分布は密になり、配置の変更が行いにくい）。
特にＬＥＤを上記の通り疎に分布させることができるので、（支持体自体も疎に配置することができ、）看板内にスペースの余裕を確保することができる。
従って、少数の高輝度ＬＥＤ群を一単位としてＬＥＤ群（ユニット）ごとに電流制御回路を用意することも比較的容易に行える。このように、ＬＥＤ群（ユニット）ごとに、電流制御回路を設けて、電流（放熱）の制御を行うにより、看板に設ける高輝度ＬＥＤの数量の変更も、このようなＬＥＤ群とその電流制御回路単位で、簡単に行うことができる（回路自体の設計変更が不要である）。
一方、看板の寸法が大きくなれば、ＬＥＤの数を増やすことにより、一つの高輝度ＬＥＤ群のユニットを既存の蛍光灯よりも大きく形成することが容易にできる。このような変更は、寸法が規格化された従来の蛍光管では、困難であり、蛍光管を用いる場合、複数の蛍光灯を配列して対応していた。しかし、このような対応では、蛍光管間が継ぎ目となって一様な光の放出が難しいものであった。
しかし、本願発明の実施によって、蛍光管では、１本でカバーできないサイズについても、一つのユニットでカバーすることができる。即ち、本願発明の実施によって、規格化された既存の蛍光管では、複数必要となるところを、上記の通り１つのユニットでカバーすることができ、上記の光のムラが生じない。
また、光源の支持体の少なくとも一部にヒートシンクを兼ねさせ、当該ヒートシンクに光源を構成する複数の高輝度ＬＥＤ同士を間隔を開けて保持させることにより、スペースをとることなく、光源を構成する高輝度ＬＥＤの、熱を放熱させ、高輝度ＬＥＤの発熱による損傷を抑制した。
また、高輝度ＬＥＤは、高温になると当該ＬＥＤに流れる電流量が増大し、このように電流量が増大した結果更に発熱量が大きくなるという悪循環を生ずるのであるが、電流制御回路によって、高輝度ＬＥＤに流れる電流の値を所定の値に維持させることにより、当該発熱量の増加を抑制した。
更に、本願第２の発明では、高輝度ＬＥＤと広告面との間に、光分散部材を配設することにより、広告面について高輝度ＬＥＤに近い部位と遠い部位との明暗の差を解消した。従って、上記の通り、高輝度ＬＥＤを、このように疎に分布させても、上記の光分散部材にてコントラスト（明暗）のムラを抑制することができる。
本願第３の発明は、ヒートシンクに放熱性に優れるアルミニウムを採用すると共に、隣接する高輝度ＬＥＤについて、互いの発熱が影響しない十分な間隔を確保すると共に、間隔を開けることによって生じる明暗の差の増加を、個々の高輝度ＬＥＤ毎に個別に、光分散部材で覆うことにより、より一層抑制した。
本願第４の発明は、電流制御回路を実現するより具体的な手段を提供した。
本願第５の発明は、上記ヒートシンクとして、冷却能力の面でより優れたものを提供した。
本願第６及び７の発明により、ケーシングの先端面から外部へ高輝度ＬＥＤの光を、適切に分散して枠体やケーシング内部の部際の影を落とさずに、透過することができる。